(57)【要約】    【課題】  記録時に環境温度が高温であっても、記録されたデータの長期保存信頼性の高い撮影記録装置を実現すること。    【解決手段】  被写体を撮影する映像撮影手段と、２値またはＮ値で記録可能なメモリセルを複数有する、複数のメモリブロックを有する記録媒体を備え、映像撮影手段によって、記録媒体に記録する手段と、記録媒体の環境温度を測定する測定手段と、測定手段により測定した温度を温度情報として記憶する記憶手段と、記憶手段により記憶した温度情報を温度閾値と比較する比較手段と、比較手段によって比較した結果に応じて前記記録媒体への各メモリブロックごとに２値またはＮ値で記録させるように制御するメモリ制御手段と、を備えることを特徴とする。【選択図】    図１
2015015604.tif 000002
【特許請求の範囲】
【請求項１】
被写体を撮影する映像撮影手段と、
２値またはＮ値（Ｎは３以上の自然数）で記録可能なメモリセルを複数有する、複数のメモリブロックを有する記録媒体を備え、
前記映像撮影手段によって、前記記録媒体に記録する手段と、
前記記録媒体の環境温度を測定する測定手段と、
前記測定手段により測定した温度を温度情報として記憶する記憶手段と、
前記記憶手段により記憶した温度情報を温度閾値と比較する比較手段と、
前記比較手段によって比較した結果に応じて前記記録媒体への各メモリブロックごとに前記２値またはＮ値で記録させるように制御するメモリ制御手段と、
を備えたことを特徴とする記録装置。
【請求項２】
前記測定手段は、前記記録媒体へ動画または静止画記録開始時に温度測定を行うことを特徴とする請求項１に記載の記録装置。
【請求項３】
前記比較手段は、温度上昇している時と温度下降している時で、比較する温度閾値を切り替えることを特徴とする請求項１に記載の記録装置。
【請求項４】
前記測定手段は、前記記録媒体に静止画記録から動画記録移行時に温度測定を行うことを特徴とする請求項３に記載の記録装置。
【請求項５】
前記測定手段は、前記記録媒体へ記録するデータレートが変更された場合に温度測定を行うことを特徴とする請求項３に記載の記録装置。
【請求項６】
前記記録媒体を２つ以上備え、
前記映像を記録する記録媒体を切り替えるための記録媒体切り替え制御手段と、
前記切り替え制御手段により切り替えた記録媒体を表示装置に表示する表示手段と、
前記記録媒体切り替え制御手段により記録媒体が切り替えられた場合に温度測定を行うこと、
を特徴とする請求項３に記載の記録装置。
【発明の詳細な説明】
【技術分野】
【０００１】
本発明は記録装置に関し、特に、２値メモリと多値メモリにデータを記録する装置に関する。
【背景技術】
【０００２】
近年、NAND型フラッシュメモリ等の不揮発性半導体記録媒体は、デジタルカメラやデジタルビデオカメラ、ノート型パーソナルコンピュータといった様々なモバイル機器に採用されている。不揮発性半導体記録媒体は、従来の記録媒体であるHDD(Hard Disc Drive)やDVD(Digital Versatile Disc)ように機械駆動部や光学部などを必要としないため、小型、軽量、耐衝撃性、防塵性等々に優れ、今後の記録媒体の主役として大いに期待されている。
【０００３】
この不揮発性半導体記録媒体は、メモリセルと呼ばれる記録素子が多数集合して構成される。一般的にはこのメモリセルに電気的な閾値を１つ設けて、メモリセルに蓄積される電荷の状態に応じて「0」か「1」を判別し、２値のデータを記録することができる（以後、これを２値記録とよび、そのような方法で記録するメモリを２値メモリと呼ぶ）。
【０００４】
最近では、この電気的な閾値を２つ以上の複数レベル設けることにより、３値以上のデータを記録する技術が登場している。（以後、これを多値記録とよび、そのような方法で記録するメモリを多値メモリと呼ぶ）例えば、閾値を３つ設けることで、４値すなわちメモリセルあたりに２ビットのデータを記録できる。この技術により１つのメモリセルに、従来よりも多いデータを記録できるため、低コスト、大容量化が実現できている。
【０００５】
一方で同じ電源電圧で比較すると、多値記録では、複数の閾値があるため、隣接する閾値の間隔が狭くなり、電荷抜けによるデータ誤りが２値記録の場合よりも起こりやすくなる。
【０００６】
また、不揮発性半導体記録媒体に記録する時の温度とその後の放置温度が高いほどデータの保持期間が劣化する特性をもっている。つまり、記録媒体に記録する時の温度が高いと常温で記録したデータよりも、記録保持時間が低下することがある。
【０００７】
この現象はプロセスルールの微細化が進むにつれて拍車がかかるため、多値記録を使った多値メモリを使いこなすこと、及び小型・軽量化されていく観点から、保存信頼性の維持という観点では、さらに低下する状況が予想される。
【０００８】
このような状況において、環境温度に応じて記録媒体への記録方法を制御するものとして、光磁気記録媒体の環境温度を検出して、安定な記録再生特性を確保するために記録に必要な最適なパワーを自動制御する方法が提案されている（特許文献１参照）。
【先行技術文献】
【特許文献】
【０００９】
【特許文献１】特開平７−２７２３４０号公報
【発明の概要】
【発明が解決しようとする課題】
【００１０】
しかしながら、メモリセルにビット数を異なって混在して記録することが不揮発性半導体メモリを記録媒体として用いた、電子機器（特に、撮影記録装置）においては、更なる記録媒体の大容量化が進み、積極的に多値記録によるメモリが増加してゆき、その信頼性をメモリだけでなくシステム的に補う方法が必要とされる。
【００１１】
さらに、小型化により使用時における撮影記録装置の内部温度も上昇することが予想され、このような記録媒体を用いて温度が高い状態で画像データを記録すると、記録された画像データの保存期間が低下してしまうという課題があった。例えば、室温（２５℃）で記録し室温で放置された不揮発性半導体記録媒体のデータ保持期間は、５００時間以上も保証されるのに対し、高温（８５℃）で記録し高温（１２５℃）で放置された不揮発性半導体記録媒体のデータ保持期間は、９６時間以上しか保証されない媒体もある。
【課題を解決するための手段】
【００１２】
そこで、上記課題を解決するために、本発明においては、ビット数を異なって混在して２値またはＮ値（Ｎは３以上の自然数）で、記録可能なメモリセルを複数有する、複数のメモリブロックを備えた記録媒体を用いた撮影記録装置において、
記録媒体への記録動作時に環境温度を測定する手段と、測定した温度を温度情報として記憶する手段と、記憶した温度情報に応じて前記メモリセルに記録する閾値を各メモリブロックごとに、前記２値またはＮ値で記録するように制御するメモリ制御手段を備えたことを特徴とする。
【発明の効果】
【００１３】
本発明によれば、ビット数を異なって混在して２値またはＮ値（Ｎは３以上の自然数）で記録可能なメモリセルを複数有する、複数のメモリブロックを備えた記録媒体を用いた撮影記録装置において、
記録媒体への記録動作時に環境温度を測定し、測定した温度に応じて前記メモリセルに記録する閾値を各メモリブロックごとに、前記２値またはＮ値で記録させるように制御することによって、
記録時に環境温度が高温であっても、記録されたデータの長期保存信頼性の高い撮影記録装置を実現することが可能である。
【図面の簡単な説明】
【００１４】
【図１】本発明を説明するための撮影記録装置のブロック図である。
【図２ａ】本発明の第１の実施例におけるフローチャートの図である。
【図２ｂ】本発明の第２の実施例におけるフローチャートの図である。
【図３ａ】本発明の第１の実施例におけるメモリ制御を実施する温度閾値を示す図である。
【図３ｂ】本発明の第２の実施例におけるメモリ制御を実施する温度閾値を示す図である。
【発明を実施するための形態】
【００１５】
＜第１の実施形態＞
［実施例１］
以下に、本発明の好ましい実施の形態を、添付の図面に基づいて詳細に説明する。図１は、本発明の実施形態にかかわる撮影記録装置の構成図である。図２ａは、本発明の実施形態のフローチャートである。
【００１６】
以下、図面を参照して、この発明の実施例を説明する。
【００１７】
図１中の撮影記録装置１０は、被写体を撮影するための撮像レンズ２０と撮像素子である撮像センサー３０と、撮像センサーからの電気信号をデジタルデータに変換するＡ/Ｄ変換回路４０と、画像処理回路５０と、撮像装置制御部６０と、マイクロプロセッサー７０と、マイクロプロセッサーのプログラムやデータを記憶する記憶媒体８０と、撮影した映像を記録するための記録媒体９１と、記録媒体９１への記録制御するためのメモリ制御部９０と、撮影記録装置１０の内部温度を検出するための温度検出回路１００と、撮影記録装置１０の動作状態などを表示するための表示装置１１０と、記録媒体９１に映像を記録開始または停止するための記録開始/停止ボタン１２０と、
を有して構成される。
【００１８】
上記撮影投影装置１０において、撮像レンズ２０からの光学像を電気信号に変換するための撮像センサー３０であり、撮像センサー３０からの電気信号は、Ａ/Ｄ変換回路４０にてデジタルデータ−に変換され、更に画像信号処理回路５０でデジタル的な像信号に変換される。撮像装置制御部６０では、撮像レンズ２０、撮像センサー３０、Ａ/Ｄ変換回路４０、画像信号処理回路５０のコントロールを行っている。
【００１９】
そして、画像信号処理回路５０で変換された電気信号は、イクロプロセッサー７０により処理されて、メモリ制御部９０により画像記録媒体９１に記録される。
【００２０】
また、温度検出回路１００により測定された温度は、マイクロプロセッサー７０によって処理され温度情報として、記憶媒体８０に記憶される。このマイクロプロセッサー７０によって処理され温度情報は、記録媒体９１の温度と相関関係にある。
【００２１】
さらに、記録開始/停止ボタン１２０は、映像記録装置の使用者が記録媒体９１に画像を記録したり停止したりを行うためのスイッチであり、このボタンから入力された信号は、マイクロプロセッサー７０によって処理・判断される。
【００２２】
図２ａは、本発明の第１の実施形態に係る撮影記録装置１０が、記憶媒体８０からの温度情報に応じて、メモリ制御部９０が画像記録媒体９１に記録するための動作を示すフローチャート図である。図３ａは、メモリ制御部９０によって、記録媒体９１に記録するためのビット数を決めるために、マイクロプロセッサー７０が温度情報Ｔａと比較するための温度閾値を示した図である。
【００２３】
図２ａのフローチャートにおいて、撮影記録装置１０が撮影記録モードで記録媒体９１に画像の記録を開始していない状態で（ステップＳ１２１）、記録開始/停止ボタン１２０を押下されていないとマイクロプロセッサー７０が判断した場合には（ステップＳ１２２）、記録媒体９１への記録を開始しないで撮影記録モードの状態になる（ステップＳ１２１）。
【００２４】
前記記録媒体９１に画像の記録を開始していない状態にて（ステップＳ１２１）、記録開始/停止ボタン１２０を押下されたとマイクロプロセッサー７０が判断した場合には（ステップＳ１２２）、温度検出回路１００にて温度を測定し（ステップＳ１２３）、マイクロプロセッサー７０で処理を行い、温度情報Ｔａとして記憶媒体８０に記憶する（ステップＳ１２４）。
【００２５】
次にメモリ制御部９０によって、記録媒体９１に画像を記録するためのビット数を決めるために、マイクロプロセッサー７０によって、温度閾値Ｔ＝８５℃と比較する（ステップＳ１２５）。
【００２６】
比較した結果、Ｔａ≧８５℃の場合には、メモリ制御部９０は、記録媒体９１に画像を記録するためのビット数を２値での記録で開始する（ステップＳ１２６）。
【００２７】
前記記録媒体９１に画像を記録している状態にて（ステップＳ１２６）、記録開始/停止ボタン１２０を押下されていないとマイクロプロセッサー７０が判断した場合には（ステップＳ１３０）、温度検出回路１００にて、温度を測定に移行する（ステップＳ１２３）。
【００２８】
前記記録媒体９１に画像を記録している状態にて（ステップＳ１２６）、記録開始/停止ボタン１２０を押下されているとマイクロプロセッサー７０が判断した場合には（ステップＳ１３０）、記録媒体９１への画像記録を停止して、撮影記録モードに移行する（ステップＳ１２１）。
【００２９】
比較した結果、Ｔａ＜８５℃の場合には、マイクロプロセッサー７０によって、温度閾値Ｔ＝５５℃と比較する（ステップＳ１２７）。
【００３０】
比較した結果、Ｔａ≧５５℃の場合には、メモリ制御部９０は、記録媒体９１に記録するためのビット数を３値での記録で開始する（ステップＳ１２８）。
【００３１】
前記記録媒体９１に画像を記録している状態にて（ステップＳ１２８）、記録開始/停止ボタン１２０を押下されていないとマイクロプロセッサー７０が判断した場合には（ステップＳ１３０）、温度検出回路１００にて、温度を測定に移行する（ステップＳ１２３）。
【００３２】
前記記録媒体９１に画像を記録している状態にて（ステップＳ１２８）、記録開始/停止ボタン１２０を押下されているとマイクロプロセッサー７０が判断した場合には（ステップＳ１３０）、記録媒体９１への画像記録を停止して、撮影記録モードに移行する（ステップＳ１２１）。
【００３３】
比較した結果、Ｔａ＜５５℃の場合には、メモリ制御部９０は、記録媒体９１に記録するためのビット数をＮ値（Ｎは３以上の自然数）での記録で開始する（ステップＳ１２９）。
【００３４】
前記記録媒体９１に画像を記録している状態にて（ステップＳ１２９）、記録開始/停止ボタン１２０を押下されていないとマイクロプロセッサー７０が判断した場合には（ステップＳ１３０）、温度検出回路１００にて、温度を測定に移行する（ステップＳ１２３）。
【００３５】
前記記録媒体９１に画像を記録している状態にて（ステップＳ１２９）、記録開始/停止ボタン１２０を押下されているとマイクロプロセッサー７０が判断した場合には（ステップＳ１３０）、記録媒体９１への画像記録を停止して、撮影記録モードに移行する（ステップＳ１２１）。
【００３６】
＜第２の実施形態＞
図２ｂは、本発明の第２の実施形態に係る撮影記録装置１０が、記憶媒体８０からの温度情報に応じて、メモリ制御部９０が画像記録媒体９１に記録するための動作を示すフローチャート図である。
【００３７】
また、図３ｂは、本発明の第２の実施形態に係るメモリ制御部９０によって、記録媒体９１に記録するためのビット数を決めるために、マイクロプロセッサー７０が温度情報Ｔａと比較するための温度閾値を示した図である。
【００３８】
図２ｂのフローチャートにおいて、撮影記録装置１０が撮影記録モードで記録媒体９１に画像の記録を開始していない状態で（ステップＳ１３１）、温度検出回路１００にて温度を測定１を実施し（ステップＳ１３２）、マイクロプロセッサー７０で処理を行い、温度情報Ｔａとして記憶媒体８０に記憶する（ステップＳ１３４）。
【００３９】
前記記録媒体９１に画像の記録を開始していない状態にて（ステップＳ１３１）、記録開始/停止ボタン１２０を押下されていないとマイクロプロセッサー７０が判断した場合には（ステップＳ１３４）、記録媒体９１への記録を開始しないで撮影記録モード状態になる（ステップＳ１３１）。
【００４０】
前記記録媒体９１に画像の記録を開始していない状態にて（ステップＳ１３１）、記録開始/停止ボタン１２０を押下されたとマイクロプロセッサー７０が判断した場合には（ステップＳ１３４）、温度検出回路１００にて温度を測定２を実施し（ステップＳ１３５）、マイクロプロセッサー７０で処理を行い、前記温度測定１で記憶した温度情報ＴａをＴａ-１として記憶媒体８０に記憶しなおし（ステップＳ１３６）、温度測定２で測定した温度情報をＴａとして記憶媒体８０に記憶する（ステップＳ１３７）。
【００４１】
更にマイクロプロセッサー７０によって、記憶媒体８０に記憶された温度情報ＴａとＴａ-1を比較する（ステップＳ１３８）。Ｔａ＞Ｔａ-１場合には、実施例１と同じようにメモリ制御部９０によって、記録媒体９１に画像を記録するためのビット数を決めるために、マイクロプロセッサー７０によって、温度閾値Ｔ＝８５℃と比較する（ステップＳ１４０）。
【００４２】
比較した結果、Ｔａ≧８５℃の場合には、メモリ制御部９０は、記録媒体９１に画像を記録するためのビット数を２値での記録で開始する（ステップＳ１４１）。前記記録媒体９１に画像を記録している状態にて（ステップＳ１４１）、記録開始/停止ボタン１２０を押下されていないとマイクロプロセッサー７０が判断した場合には（ステップＳ１４６）、温度検出回路１００にて、温度を測定２に移行する（ステップＳ１３５）。
【００４３】
前記記録媒体９１に画像を記録している状態にて（ステップＳ１４１）、記録開始/停止ボタン１２０を押下されているとマイクロプロセッサー７０が判断した場合には（ステップＳ１４６）、記録媒体９１への画像記録を停止して、撮影記録モードに移行する（ステップＳ１３１）。
【００４４】
比較した結果、Ｔａ＜８５℃の場合には、マイクロプロセッサー７０によって、温度閾値Ｔ＝５５℃と比較する（ステップＳ１４３）。
【００４５】
比較した結果、Ｔａ≧５５℃の場合には、メモリ制御部９０は、記録媒体９１に記録するためのビット数を３値での記録で開始する（ステップＳ１４４）。
【００４６】
前記記録媒体９１に画像を記録している状態にて（ステップＳ１４４）、記録開始/停止ボタン１２０を押下されていないとマイクロプロセッサー７０が判断した場合には（ステップＳ１４６）、温度検出回路１００にて、温度を測定２に移行する（ステップＳ１３５）。
【００４７】
前記記録媒体９１に画像を記録している状態にて（ステップＳ１４４）、記録開始/停止ボタン１２０を押下されているとマイクロプロセッサー７０が判断した場合には（ステップＳ１４６）、記録媒体９１への画像記録を停止して、撮影記録モードに移行する（ステップＳ１３１）。
【００４８】
比較した結果、Ｔａ＜５５℃の場合には、メモリ制御部９０は、記録媒体９１に記録するためのビット数をＮ値での記録で開始する（ステップＳ１４５）。
【００４９】
前記記録媒体９１に画像を記録している状態にて（ステップＳ１４５）、記録開始/停止ボタン１２０を押下されていないとマイクロプロセッサー７０が判断した場合には（ステップＳ１４６）、温度検出回路１００にて、温度を測定２に移行する（ステップＳ１３５）。
【００５０】
前記記録媒体９１に画像を記録している状態にて（ステップＳ１４５）、記録開始/停止ボタン１２０を押下されているとマイクロプロセッサー７０が判断した場合には（ステップＳ１４６）、記録媒体９１への画像記録を停止して、撮影記録モードに移行する（ステップＳ１３１）。
【００５１】
Ｔａ≦Ｔａ-１場合には、メモリ制御部９０によって、記録媒体９１に画像を記録するためのビット数を決めるために、マイクロプロセッサー７０によって、温度閾値Ｔ＝８０℃と比較する（ステップＳ１３９）。
【００５２】
比較した結果、Ｔａ≧８０℃の場合には、メモリ制御部９０は、記録媒体９１に画像を記録するためのビット数を２値での記録で開始する（ステップＳ１４１）。
【００５３】
前記記録媒体９１に画像を記録している状態にて（ステップＳ１４１）、記録開始/停止ボタン１２０を押下されていないとマイクロプロセッサー７０が判断した場合には（ステップＳ１４６）、温度検出回路１００にて、温度を測定２に移行する（ステップＳ１３５）。
【００５４】
前記記録媒体９１に画像を記録している状態にて（ステップＳ１４１）、記録開始/停止ボタン１２０を押下されているとマイクロプロセッサー７０が判断した場合には（ステップＳ１４６）、記録媒体９１への画像記録を停止して、撮影記録モードに移行する（ステップＳ１３１）。
【００５５】
比較した結果、Ｔａ＜８０℃の場合には、マイクロプロセッサー７０によって、温度閾値Ｔ＝５０℃と比較する（ステップＳ１４２）。比較した結果、Ｔａ≧５０℃の場合には、メモリ制御部９０は、記録媒体９１に記録するためのビット数を３値での記録で開始する（ステップＳ１４４）。
【００５６】
前記記録媒体９１に画像を記録している状態にて（ステップＳ１４４）、記録開始/停止ボタン１２０を押下されていないとマイクロプロセッサー７０が判断した場合には（ステップＳ１４６）、温度検出回路１００にて、温度を測定２に移行する（ステップＳ１３５）。
【００５７】
前記記録媒体９１に画像を記録している状態にて（ステップＳ１４４）、記録開始/停止ボタン１２０を押下されているとマイクロプロセッサー７０が判断した場合には（ステップＳ１４６）、記録媒体９１への画像記録を停止して、撮影記録モードに移行する（ステップＳ１３１）。
【００５８】
比較した結果、Ｔａ＜５０℃の場合には、メモリ制御部９０は、記録媒体９１に記録するためのビット数をＮ値での記録で開始する（ステップＳ１４５）。
【００５９】
前記記録媒体９１に画像を記録している状態にて（ステップＳ１４５）、記録開始/停止ボタン１２０を押下されていないとマイクロプロセッサー７０が判断した場合には（ステップＳ１４６）、温度検出回路１００にて、温度を測定２に移行する（ステップＳ１３５）。
【００６０】
前記記録媒体９１に画像を記録している状態にて（ステップＳ１４５）、記録開始/停止ボタン１２０を押下されているとマイクロプロセッサー７０が判断した場合には（ステップＳ１４６）、記録媒体９１への画像記録を停止して、撮影記録モードに移行する（ステップＳ１３１）。
【００６１】
＜第３の実施形態＞
実施例２において、の温度測定回路１００にて温度測定１を開始する手段として、記録媒体９１に記録する画像を静止画（動画）像から動画（静止画）像に切り替えたときに実施してもよい。
【００６２】
＜第４の実施形態＞
実施例２において、の温度測定回路１００にて温度測定１を開始する手段として、記録媒体９１に記録する動画像の記録レート（圧縮率）が切り替えたときに実施してもよい。
【００６３】
＜第５の実施形態＞
実施例２において、画像を記録するための記録媒体９１が、複数存在する場合には、温度測定回路１００にて温度測定１を開始する手段として、動画像を記録する記録媒体が切り替えられた場合に実施してもよい。
【符号の説明】
【００６４】
７０    マイクロプロセッサ
８０    記憶媒体
９０    メモリ制御部
【図１】
2015015604.tif 000003
【図２ａ】
2015015604.tif 000004
【図２ｂ】
2015015604.tif 000005
【図３ａ】
2015015604.tif 000006
【図３ｂ】
2015015604.tif 000007